(57)【特許請求の範囲】
【請求項１】
互いに嵌合可能な一対のコネクタハウジングを備え、このうちの一方のコネクタハウジングにはカム溝を有するレバーが回動可能に取り付けられ、他方のコネクタハウジングには前記カム溝に係合可能なカムピンが突設され、このカムピンの先端部には鍔部が径方向に張り出して形成され、前記カム溝の溝面の深さ方向中間部には前記鍔部と係合可能な段差面が設けられ、かつ、前記カム溝の内側空間のうち前記段差面を境に溝幅の広い部分には前記鍔部の収容部が設けられ、前記両コネクタハウジングを浅く嵌合することで前記カムピンを前記カム溝の入り口に嵌入させ、その状態から前記レバーを回動させることで前記カムピンを前記カム溝の奥側へ移動させそのカム作用によって前記両コネクタハウジングを深く嵌合させて正規嵌合状態に至らし、その嵌合途上において、前記鍔部が前記収容部内に収容された状態で前記段差面を摺動することで前記カム溝からの抜け止めがなされるレバー式コネクタであって、
前記レバーにおける前記カム溝の段差面の深さは、前記カム溝の入り口側では前記収容部内に前記鍔部を遊挿状態で収容可能なように深くなる一方、前記カム溝の奥側では前記収容部内に前記鍔部を遊動規制状態で収容可能なように浅くなり、このカム溝の入り口側から奥側に向けて次第に浅くなるように設定されていることを特徴とするレバー式コネクタ。
【請求項２】
前記カム溝の段差面は、前記カム溝の入り口側から奥側に向けて次第に深さが浅くなる傾斜部と、前記カム溝のさらに奥側にあって前記傾斜部の奥端に段差なく連なる同じ深さの水平部とからなり、前記レバーの回動操作に伴う前記両コネクタハウジングの嵌合抵抗が最大値を示す前に、前記鍔部は前記傾斜部から前記水平部側の領域へ移行していることを特徴とする請求項１に記載のレバー式コネクタ。
【請求項３】
前記レバーは一枚板状をなしており、このレバーの回動中心軸及び前記カム溝から離れた端部に、同レバーの操作部が設けられていることを特徴とする請求項１または請求項２に記載のレバー式コネクタ。
【発明の詳細な説明】
【技術分野】
【０００１】
本発明は、レバー式コネクタに関する。
【背景技術】
【０００２】
レバー式コネクタは互いに嵌合可能な一対のコネクタハウジングを備え、このうちの一方のコネクタハウジングにはカム溝を有するレバーが取り付けられ、他方のコネクタハウジングにはカムピンが設けられている（例えば、特許文献１を参照）。カムピンの先端部には鍔部が径方向に張り出して形成され、カム溝の溝面の深さ方向中間部には鍔部と係合可能な段差面が設けられている。段差面はカム溝の溝面の全縁に亘って同じ深さで略水平に配置され、この段差面を挟んだ上方空間部は鍔部の収容部とされている。両コネクタハウジングを浅く嵌合させると、カムピンがカム溝の入り口に嵌入し、その状態からレバーを回動操作することにより、カムピンがカム溝の奥側へ移動して両コネクタハウジングが深く嵌合され正規嵌合状態に至るようになっている。両コネクタハウジングの嵌合途上で鍔部は収容部に収容された状態で段差面を摺動し、これによりレバーが一方のコネクタハウジングから抜け出ないようにしてある。
【特許文献１】特開２００４−１４１４２公報
【発明の開示】
【発明が解決しようとする課題】
【０００３】
ところで、カム溝の段差面と鍔部との間には寸法公差等によってクリアランスが生じるものであるが、このクリアランスが小さすぎるとカムピンをカム溝の入り口へ導入する際に鍔部が収容部内に入り難いことがあり、またカム溝の段差面と鍔部との接圧が高くなってレバーの回動操作を始動させ難いことがある。一方、このクリアランスが大きくすぎるとカムピンがカム溝内を移動する際に両コネクタハウジングの嵌合抵抗を受けてカムピンの軸が垂直軸から傾くのを許してしまうことがある。端的には前記クリアランスを適正値に設定できればよいわけであるが、製造上のバラツキ等を考慮すると製品毎に常に一定クリアランスを保つのは難しい場合もあるという事情がある。  
本発明は上述した事情に鑑みてなされたものであり、カム溝とカムピンとのクリアランスに配慮してレバーの操作性を良好にすることを目的とする。
【課題を解決するための手段】
【０００４】
上記の目的を達成するための手段として、請求項１の発明は、互いに嵌合可能な一対のコネクタハウジングを備え、このうちの一方のコネクタハウジングにはカム溝を有するレバーが回動可能に取り付けられ、他方のコネクタハウジングには前記カム溝に係合可能なカムピンが突設され、このカムピンの先端部には鍔部が径方向に張り出して形成され、前記カム溝の溝面の深さ方向中間部には前記鍔部と係合可能な段差面が設けられ、かつ、前記カム溝の内側空間のうち前記段差面を境に溝幅の広い部分には前記鍔部の収容部が設けられ、前記両コネクタハウジングを浅く嵌合することで前記カムピンを前記カム溝の入り口に嵌入させ、その状態から前記レバーを回動させることで前記カムピンを前記カム溝の奥側へ移動させそのカム作用によって前記両コネクタハウジングを深く嵌合させて正規嵌合状態に至らし、その嵌合途上において、前記鍔部が前記収容部内に収容された状態で前記段差面を摺動することで前記カム溝からの抜け止めがなされるレバー式コネクタであって、前記レバーにおける前記カム溝の段差面の深さは、前記カム溝の入り口側では前記収容部内に前記鍔部を遊挿状態で収容可能なように深くなる一方、前記カム溝の奥側は前記収容部内に前記鍔部を遊動規制状態で収容可能なように浅くなり、このカム溝の入り口側から奥側に向けて次第に浅くなるように設定されている構成としたところに特徴を有する。
【０００５】
請求項２の発明は、請求項１に記載のものにおいて、前記カム溝の段差面は、前記カム溝の入り口側から奥側に向けて次第に深さが浅くなる傾斜部と、前記カム溝のさらに奥側にあって前記傾斜部の奥端に段差なく連なる同じ深さの水平部とからなり、前記レバーの回動操作に伴う前記両コネクタハウジングの嵌合抵抗が最大値を示す前に、前記鍔部は前記傾斜部から前記水平部側の領域へ移行しているところに特徴を有する。  
請求項３の発明は、請求項１または請求項２に記載のものにおいて、前記レバーは一枚板状をなしており、このレバーの回動中心軸及び前記カム溝から離れた端部に、同レバーの操作部が設けられているところに特徴を有する。
【発明の効果】
【０００６】
＜請求項１の発明＞
カムピンをカム溝の入り口に嵌入すると鍔部が収容部内に収容されるが、このとき、カム溝の段差面の深さはカム溝の入り口側では収容部内に鍔部を遊挿状態で収容可能なように深くなっているため、カム溝にカムピンを容易に嵌入させることができるとともに、レバーの始動時における操作力を軽減することができる。一方、カム溝の段差面の深さはカム溝の奥側では収容部内に鍔部を遊動規制状態で収容可能なように浅くなっているため、レバーの回動操作が進んで両コネクタハウジングによる嵌合抵抗が大きくなってもカムピンの軸が垂直軸から傾いてしまうのを阻止することができる。また、カム溝の段差面の深さはこのカム溝の入り口側から奥側に向けて次第に浅くなるように設定されているから、レバーの回動操作の進行に伴ってカム溝の段差面と鍔部とのクリアランスが徐々につめられていって、レバーの回動操作を間断なくスムーズに行うことができる。
【０００７】
＜請求項２の発明＞
カム溝の段差面は請求項１で記載した構成の傾斜部とカム溝のさらに奥側にあって傾斜部の奥端と段差なく連なる同じ深さの水平部とからなり、レバーの回動操作に伴う両コネクタハウジングの嵌合抵抗が最大値を示す前に、鍔部は傾斜部から水平部側の領域へ移行しており、つまり鍔部は段差面の深さの浅いところに移行しているので、カムピンの軸の傾きが最も憂慮されるときにその傾きを有効に抑えることができる。  
＜請求項３の発明＞
レバーが一枚板状をなしこのレバーの回動中心軸及びカム溝から離れた端部にレバーの操作部が設けられているから、レバーの回動操作に伴ってカムピンの軸が傾き易いという事情がある。したがって、このような事情がある場合に、カムピンの傾倒を抑えることができる本発明は有用性が高いといえる。
【発明を実施するための最良の形態】
【０００８】
＜実施形態１＞
本発明の実施形態１を図１ないし図９によって説明する。本実施形態のレバー式コネクタは、図１に示すように、互いに嵌合・離脱可能な雌雄一対のコネクタハウジング１０，６０を備えて構成される。なお、以下の説明において前後方向については両コネクタハウジング１０，６０の互いの嵌合面側を前方とし、上下方向については図４を基準とする。
【０００９】
雌側コネクタハウジング１０は複数のサブハウジング（図示せず）を収容可能な横長矩形枠状のホルダ１１を備えて構成され、ホルダ１１にはレバー３０が組み付けられている。
【００１０】
ホルダ１１は合成樹脂製であって、図７に示すように、上面壁１２、下面壁１３、及び左右両側面壁１４を有し、さらに上面壁１２より下方には天井壁１５があって、この天井壁１５と上面壁１２との間に区画された横長スリット状をなす空間はレバー３０を収容するためのレバー収容部１６とされている。ホルダ１１のうちのレバー収容部１６より下方の領域には天井壁１５と下面壁１３との間に二枚の仕切板１７が幅方向に間隔をあけて立設され、これによって左右３室のハウジング収容室１８が構成される。各ハウジング収容室１８には後方からサブハウジングが嵌入可能とされており、各ハウジング収容室１８の下面壁１３にサブハウジングを抜け止めするためのランス１９が撓み変形可能に設けられている。なお、各サブハウジングについては作図の都合上図示を省くものであるが、このものはブロック状をなしており、雌側の端子金具を挿入可能な複数のキャビティを備えて構成されるものである。
【００１１】
ホルダ１１の両側面壁１４の外側面には、図７ないし図９に示すように、前後方向に沿って左右一対のガイド溝２１がそれぞれ同じ高さ位置に設けられている。これに対応して、相手側となる雄側コネクタハウジング６０側のフード部６１（後述する）の両側内面には、前後方向に沿って左右一対のガイドリブ６２がそれぞれ同じ高さ位置に設けられている。ガイドリブ６２はガイド溝２１に進入可能とされ、ガイド溝２１の溝面との間に寸法公差等に起因する隙間を保有する。よって、レバー３０の回動操作に伴って両コネクタハウジング１０，６０の嵌合動作が進むと、ガイドリブ６２が前記隙間の範囲で前後方向に傾動することが懸念される。特に本実施形態の場合、レバー３０の略全体がホルダ１１の上部に位置するレバー収容部１６に収容され、しかもレバー３０がホルダ１１の幅方向一端側へ向けて回動される構成となっているため、レバー３０の回動方向に操作力が作用しホルダ１１が引っ張られて傾き易いという事情がある。
【００１２】
しかるに本実施形態においては、ガイド溝２１の溝面に略半球状をなすがた止め用のボス２２が設けられており、このボス２２がガイドリブ６２と当接して、ガイド溝２１の溝面とガイドリブ６２との隙間をつめることによってガイドリブ６２の傾動を抑えることが可能となっている。詳しくはボス２２は、ガイド溝２１の溝面における両対向面のうち、レバー３０が配設される領域側の対向面とは反対側の対向面であって、ホルダ１１の嵌合領域（両コネクタハウジング１０，６０が正規嵌合されたときにフード部６１に内面と対面する領域）の後端部に設置されている。これにより、両コネクタハウジング１０，６０の嵌合抵抗が最も大きくなる嵌合終盤時において、ガイドリブ６２、ひいては雌側コネクタハウジング１０の傾動を効果的に抑えることが可能となっている。
【００１３】
また、ホルダ１１の上面壁１２及び天井壁１５の幅方向略中央部には、相手側となる雄側コネクタハウジング６０のカムピン６３を導入可能なカムピン進入溝２３が、前面に開口しかつ前後方向に延出して切り欠き形成されている。そして、ホルダ１１の上面壁１２には、カムピン進入溝２３より一側寄りの位置に、レバー３０の仮保持状態を解除するためのリブ６４（後述する）を導入可能なリブ進入溝２４が、同じく前面に開口しかつ前後方向に延出して切り欠き形成されている。リブ進入溝２４の後端部には、レバー３０の仮保持状態を保つための仮保持受け部２５が、溝深さの略下半領域に突設されている。
【００１４】
ホルダ１１の天井壁１５の内側面には、その幅方向略中央部であってカムピン進入溝２３と同軸の後方位置に、略円柱状をなす支持軸２６が、レバー収容部１６側へ突出して形成されている。支持軸２６はレバー３０の回動中心軸を構成するものであり、レバー３０は支持軸２６を中心として水平面に沿って回動可能とされている。さらに、ホルダ１１の天井壁１５の内側面には、カムピン進入溝２３を挟んでリブ進入溝２４と反対側の端部に、レバー３０を本係止するための係止受け部２７が設けられている。
【００１５】
レバー３０は合成樹脂製であって、全体として一枚板状をなしている。そして、レバー３０は、やや細長い平板状のカム板部３１を備え、その一端寄りの下面に、支持軸２６と嵌合可能な軸受孔３２が凹設されている。カム板部３１は、その両板面が上面壁１２及び天井壁１５の両内側面に当接可能な状態で、レバー収容部１６内に収容可能とされている。カム板部３１における軸受孔３２の孔周りには、カムピン６３と係合可能なカム溝３３が、このカム板部３１の外周縁に開口しかつ所定方向に延出して形成されている。レバー３０が回動初期位置にあるときに、カム溝３３の入り口（開口端）は、カムピン進入溝２３の入り口（開口端）と連通しており、カムピン６３の進入する側へ開口されている。このカム溝３３の構造については後に詳述する。
【００１６】
カム板部３１において軸受孔３２に近接する端縁部には、片持ち状をなしてカム板部３１の外周縁に沿って延出する仮保持片３４が設けられている。仮保持片３４は、内外に撓み変形可能とされ、その先端部に、仮保持突起３５が形成されている。レバー３０が回動初期位置にあるときには、仮保持突起３５がリブ進入溝２４に進入して仮保持受け部２５と係合することにより、レバー３０の回動完了位置側への回動操作が規制されるようになっている。また、レバー３０のうち、カム板部３１の軸受孔３２とは反対側であってこの軸受孔３２及びカム溝３３から離れた端部には、摘み操作可能な操作部３６と、係止受け部２７と弾性係止してレバー３０を回動完了位置にロックする弾性係止片３７とがそれぞれ設けられている。
【００１７】
続いて、雄側コネクタハウジング６０について説明すると、雄側コネクタハウジング６０は同じく合成樹脂製であって、前方に開口する略角筒状のフード部６１を備えている。フード部６１の奥壁には雄側の端子金具（図示せず）が複数装着されており、これら端子金具がフード部６１内に突出状態で配されている。そして、フード部６１内には前方から雌側コネクタハウジング１０（ホルダ１１）がほぼ緊密に嵌入可能とされる。両コネクタハウジング１０，６０が正規嵌合されると、雌雄の両端子金具が正規深さで導通接続されるようになっている。
【００１８】
フード部６１の内上面には、このフード部６１の幅方向略中央部から一側寄りの位置に、リブ進入溝２４に進入可能なリブ６４が、前後方向に延出して形成されている。また、フード部６１の内上面の幅方向略中央部には、略円柱状のカムピン６３が下方へ向けて突出して形成されている。カムピン６３の先端には略円形の鍔部６５が全周に亘って径方向に張り出して形成されている。
【００１９】
次いで、カムピン６３が嵌合可能なレバー３０のカム溝３３の構造について詳細に説明する。カム溝３３は、図４に示すように、カム板部３１を板厚方向に貫通する形態であって、その溝面のうち、貫通方向（深さ方向）の中間部、詳しくは下端部に、鍔部６５のフランジ面６５Ａと軸方向で当接可能な段差面３８，３９を有している。カム溝３３の内側空間のうち、段差面３８，３９を境として溝幅の狭い上方空間はカムピン６３の軸６６を収容可能な軸収容部４１とされ、段差面３８，３９を境として溝幅の広い下方空間は鍔部６５を収容可能な鍔部６５の収容部４２とされている。軸収容部４１の垂直壁面とカムピン６３の軸６６との間、及び収容部４２の垂直壁面と鍔部６５の張り出し端縁との間には、寸法公差等に起因して僅かなクリアランスがあいている。
【００２０】
さて、カム溝３３の段差面３８，３９は、カム溝３３の入り口側（開口端側）から奥側（閉止端側）に向かって次第に板厚を増す方向に傾斜する傾斜部３８と、この傾斜部３８の奥端に段差なく面一で連なって略水平に配置される水平部３９とからなる。水平部３９は略Ｕの字に回曲してカム溝３３の閉止端を区画している。
【００２１】
ここで、カム溝３３の段差面３８，３９の深さは収容部４２の高さに対応しており、したがって、傾斜部３８の深さはカム溝３３の入り口側から奥側にかけて次第に浅くなる構成である。カムピン６３がカム溝３３の入り口に進入すると、鍔部６５は傾斜部３８との間にクリアランスをもって収容部４２内に遊挿状態で収容される。その後、レバー３０の回動操作に伴ってカムピン６３がカム溝３３の奥側へ移動すると、鍔部６５と傾斜部３８とのクリアランスが次第につめられていって、水平部３９側へ移ったところで鍔部６５は傾斜部３８とのクリアランスをほぼなくして収容部４２内に遊動規制状態で収容されることとなる。この場合に、レバー３０の回動操作に伴う両コネクタハウジング１０，６０の嵌合抵抗によってカムピン６３の軸６６が傾くことのないように、水平部３９と傾斜部３８との境界部４７は、両コネクタハウジング１０，６０の嵌合抵抗が最大値を示す前に鍔部６５が水平部３９側の領域へ移行していることを保障する位置、つまり本実施形態においてはカム溝３３の開口端から奥端に至る長さ範囲の略中央に設定される。
【００２２】
次に、両コネクタハウジング１０，６０の作用について説明する。まず、図１及び図６に示すように、レバー３０を雌側コネクタハウジング１０に対して回動初期位置に仮止めさせ、その状態でホルダ１１を雄側コネクタハウジング６０のフード部６１内に浅く嵌入させる。すると、図２に示すように、フード部６１のリブ６４が仮保持片３４の仮保持突起３５に当接して仮保持片３４を仮保持受け部２５との係止を解除させる方向に撓み変形させ、これによってレバー３０の回動操作が許容される。また、カムピン６３がカム溝３３の入り口に係入して、図４に示すように、鍔部６５がカム溝３３の収容部４２に遊挿状態で作業性よく収容される。
【００２３】
その状態からレバー３０の操作部３６を摘んでレバー３０を回動完了位置側へ回動させる。すると、カムピン６３とカム溝３３との係合によるカム作用により両コネクタハウジング１０，６０が互いに引き寄せられ、フード部６１内に雌側コネクタハウジング１０（ホルダ１１）が深く進入するようになる。レバー３０の回動開始時においては鍔部６５のフランジ面６５Ａとカム溝３３の傾斜部３８との摺接に起因する摩擦抵抗がないため、レバー３０の操作力を軽減することができる。その後、鍔部６５のフランジ面６５Ａとカム溝３３の段差面３８，３９とが摺接し合うことにより、カム板部３１やホルダ１１が嵌合操作力による応力によって上下方向に位置ずれする事態を回避できる。また、レバー３０が回動完了位置側へ行くにしたがって鍔部６５とカム溝３３の傾斜部３８とのクリアランスが徐々につめられ、両コネクタハウジング１０，６０の嵌合抵抗を受けても、カムピン６３の軸６６は垂直姿勢に保たれることになる。さらに、雌雄の両端子金具の接続動作が開始され、もって両コネクタハウジング１０，６０の嵌合抵抗が最大値を示す前に、図５に示すように、鍔部６５は傾斜部３８側から水平部３９側の領域へ移行して水平部３９と略隙間なく当接するようになる。
【００２４】
こうしてレバー３０が嵌合完了位置に至ると、図３に示すように、弾性係止片３７が係止受け部２７に弾性係止してレバー３０の回動操作が規制されロック状態となる。このとき、カムピン６３はカム溝３３の奥端にあって鍔部６５は水平部３９との当接状態を保っており、両コネクタハウジング１０，６０は正規嵌合状態に組み付けられる。
【００２５】
以上説明したように本実施形態によれば、カム溝３３の段差面３８，３９の深さはカム溝３３の入り口側（開口端側）で収容部４２内に鍔部６５を遊挿状態で収容可能なように深くなっているから、カム溝３３へカムピン６３を容易に嵌入することができるとともに、レバー３０を回動させるに際してその始動時における操作力を軽減することができる。一方、カム溝３３の段差面３８，３９の深さはカム溝３３の奥側（閉止端側）で収容部４２内に鍔部６５を遊動規制状態で収容可能なように浅くなっているため、レバー３０の回動操作がある程度進んで両コネクタハウジング１０，６０による嵌合抵抗が大きくなってもカムピン６３の軸６６が垂直軸から傾いてしまうのを阻止することができる。その結果、レバー３０の回動姿勢を正規姿勢である略水平に保つことができる。また、カム溝３３の段差面３８，３９はカム溝３３の入り口側から奥側にかけて次第に深さが浅くなる傾斜部３８を有しているから、レバー３０の回動操作が進むにつれカム溝３３の段差面３８，３９と鍔部６５とのクリアランスが徐々につめられて、レバー３０の回動操作を間断なくスムーズに行うことができる。
【００２６】
さらに、カム溝３３の段差面３８，３９は傾斜部３８に加えて傾斜部３８と段差なく連なる水平部３９を有しており、レバー３０の回動操作に伴う両コネクタハウジング１０，６０の嵌合抵抗が最大値を示す前に、鍔部６５が傾斜部３８から水平部３９側の領域へ移行するようにしたから、カムピン６３の軸６６が水平軸から傾き易い状態に至ったときには、鍔部６５は既に段差面３８，３９の深さの浅いところへ移行していることとなり、カムピン６３の傾きをより有効に抑えることができる。  
そして本実施形態によれば、レバー３０が一枚板状をなしこのレバー３０の回動中心軸及びカム溝３３から離れた一端部にレバー３０の操作部３６が設けられているという事情があっても、カムピン６３の傾倒を抑えることができるという点で有用性が高いといえる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）本発明によれば、カム溝の段差面はカム溝の開口端から閉止端に至る全長に亘って傾斜部のみで構成されていてもよい。  
（２）本発明によれば、鍔部と段差面の水平部との間にクリアランスが僅かにあいていてもよい。  
（３）本発明によれば、レバーのカム溝は有底溝であってもよい。  
（４）本発明によれば、レバーは左右一対のカム板部が連結部により相互に連結された門型状をなし、コネクタハウジングに跨いで装着されるものであってもよい。  
（５）上記実施形態では雌側コネクタハウジングは複数のサブハウジングを収容可能なホルダを備えて構成されていたが、本発明によれば、雌側コネクタハウジングはそれ自体が複数のキャビティを有するブロック状のハウジングとして構成されていてもよい。  
（６）本発明によれば、ガイド溝は雄側コネクタハウジング側に設けられ、ガイドリブは雌側コネクタ側に設けられていてもよい。  
（７）本発明は、レバーが雄側コネクタハウジングに装着される場合にも適用することが可能である。
【図面の簡単な説明】
【００２８】
【図１】本実施形態において、両コネクタハウジングの嵌合前の状態をあらわす横断面図
【図２】両コネクタハウジングの嵌合初期の状態をあらわす横断面図
【図３】両コネクタハウジングの嵌合完了時の状態をあわわす横断面図
【図４】両コネクタハウジングの嵌合初期においてカムピンとカム溝との係合状態をあらわす要部拡大縦断面図
【図５】両コネクタハウジングの嵌合終盤時においてカムピンとカム溝との係合状態をあらわす要部拡大縦断面図
【図６】レバーを回動初期位置に留め置いた雌側コネクタハウジングの平面図
【図７】雌側コネクタハウジングのホルダの正面図
【図８】両コネクタハウジングの嵌合前の状態をあらわす模式的側断面図
【図９】両コネクタハウジングの嵌合完了時の状態をあらわす模式的側断面図
【符号の説明】
【００２９】
１０…雌側コネクタハウジング（一方のコネクタハウジング）
３０…レバー
３３…カム溝
３８…傾斜部
３９…水平部
６０…雄側コネクタハウジング（他方のコネクタハウジング）
６１…フード部
６３…カムピン
６５…鍔部
【図１】
0004395784.tif 000002
【図２】
0004395784.tif 000003
【図３】
0004395784.tif 000004
【図４】
0004395784.tif 000005
【図５】
0004395784.tif 000006
【図６】
0004395784.tif 000007
【図７】
0004395784.tif 000008
【図８】
0004395784.tif 000009
【図９】
0004395784.tif 000010